【事件の表示】
　特願２０１０−１０３６５９「有機ケイ素化合物を使用する毛髪処理ステップを含む毛髪染色方法」拒絶査定不服審判事件〔平成２２年１１月１８日出願公開、特開２０１０−２６０８６２〕について、次のとおり審決する。
【結　論】
　本件審判の請求は、成り立たない。
【理　由】
第１　主な手続の経緯
　本願は、平成２２年４月２８日（パリ条約による優先権主張　平成２１年４月３０日　フランス（ＦＲ））を出願日とする特許出願であって、平成２６年５月２９日付けで拒絶理由が通知され、同年１２月２日に意見書が提出されるとともに特許請求の範囲が補正され，平成２７年４月２１日付けで拒絶査定がされたところ、これに対して、同年８月２７日に拒絶査定不服審判の請求がなされると同時に特許請求の範囲が補正されたので、特許法１６２条所定の審査がされた結果、同年１０月１９日付けで同法１６４条３項の規定による報告がされたものである。
第２　補正却下の決定
　［結論］
　平成２７年８月２７日付けの手続補正を却下する。
　［理由］
１　平成２７年８月２７日付け手続補正（以下「本件補正」という。）の内容
　本件補正は特許請求の範囲の全文を変更する補正事項からなるものであるところ、特許請求の範囲全体の記載のうち、本件補正前の請求項１５並びに当該請求項に対応する本件補正後の請求項１４の記載は、それぞれ以下のとおりである。
・本件補正前（平成２６年１２月２日付けの手続補正書）
「１種または複数種の染料前駆体を含む染色組成物に続く、毛髪への、有機ケイ素化合物を含む組成物の使用であって、
前記有機ケイ素化合物が、式（Ｉ）
　　【化４】
（式中、
Ｒ４は、ハロゲンまたはＯＲ’基もしくはＲ’１基を表し、
Ｒ５は、ハロゲンまたはＯＲ’’基もしくはＲ’２基を表し、
Ｒ６は、ハロゲンまたはＯＲ’’’基もしくはＲ’３基を表し
Ｒ１、Ｒ２、Ｒ３、Ｒ’、Ｒ’’、Ｒ’’’、Ｒ’１、Ｒ’２およびＲ’３は、互いに独立して、追加の化学基を有していてもよい飽和または不飽和の直鎖または分枝炭化水素系基を表し、Ｒ１、Ｒ２、Ｒ’、Ｒ’’およびＲ’’’は、水素をさらに示すことができ、Ｒ４基、Ｒ５基およびＲ６基の少なくとも２個は、ＯＲ’、ＯＲ’’およびＯＲ’’’をそれぞれ示し、Ｒ’基、Ｒ’’基およびＲ’’’基の少なくとも２個は水素以外である）
および
　　【化５】
（式中、
Ｒ１、Ｒ２、Ｒ３、Ｒ５およびＲ６は、上記で定義されており、
Ｒ’４は、ハロゲン原子またはＯＲ１１基を表し、
Ｒ７は、ハロゲン原子またはＯＲ１０基もしくはＲ’’１基を表し、
Ｒ９は、ハロゲン原子またはＯＲ８基、Ｒ’’２基もしくはＲ３ＮＲ１Ｒ２基を表し、
Ｒ’’１、Ｒ’’２、Ｒ８、Ｒ１０およびＲ１１は、追加の化学基を有していてもよい飽和または不飽和の直鎖または分枝炭化水素系基を表し、Ｒ１１基、Ｒ１０基およびＲ８基は、水素原子をさらに表すことができ、Ｒ６基、Ｒ７基およびＲ９基の少なくとも１つは、ハロゲン原子またはＯＲ’’’基、ＯＲ１０基もしくはＯＲ８基を示す）
の化合物から選択される、使用。」
・本件補正後
「１種または複数種の染料前駆体を含む染色組成物に続く、毛髪への、有機ケイ素化合物を含む組成物の使用であって、
前記有機ケイ素化合物が、式（Ｉ）
　　【化４】
（式中、
Ｒ４は、ハロゲンまたはＯＲ’基もしくはＲ’１基を表し、
Ｒ５は、ハロゲンまたはＯＲ’’基もしくはＲ’２基を表し、
Ｒ６は、ハロゲンまたはＯＲ’’’基もしくはＲ’３基を表し
Ｒ１、Ｒ２、Ｒ３、Ｒ’、Ｒ’’、Ｒ’’’、Ｒ’１、Ｒ’２およびＲ’３は、互いに独立して、追加の化学基を有していてもよい飽和または不飽和の直鎖または分枝炭化水素系基を表し、Ｒ１、Ｒ２、Ｒ’、Ｒ’’およびＲ’’’は、水素をさらに示すことができ、Ｒ４基、Ｒ５基およびＲ６基の少なくとも２個は、ＯＲ’、ＯＲ’’およびＯＲ’’’をそれぞれ示し、Ｒ’基、Ｒ’’基およびＲ’’’基の少なくとも２個は水素以外である）
および
　　【化５】
（式中、
Ｒ１、Ｒ２、Ｒ３、Ｒ５およびＲ６は、上記で定義されており、
Ｒ’４は、ハロゲン原子またはＯＲ１１基を表し、
Ｒ７は、ハロゲン原子またはＯＲ１０基もしくはＲ’’１基を表し、
Ｒ９は、ハロゲン原子またはＯＲ８基、Ｒ’’２基もしくはＲ３ＮＲ１Ｒ２基を表し、
Ｒ’’１、Ｒ’’２、Ｒ８、Ｒ１０およびＲ１１は、追加の化学基を有していてもよい飽和または不飽和の直鎖または分枝炭化水素系基を表し、Ｒ１１基、Ｒ１０基およびＲ８基は、水素原子をさらに表すことができ、Ｒ６基、Ｒ７基およびＲ９基の少なくとも１つは、ハロゲン原子またはＯＲ’’’基、ＯＲ１０基もしくはＯＲ８基を示す）
の化合物から選択され
、前記染料前駆体が、さらにカチオン電荷密度が４ｍｅｑ／ｇ以上である１個または複数個のカチオン性ポリマーを含む
　ところで、本願明細書、特に【００７７】の「好ましい一実施形態によると、染色組成物は、カチオン電荷密度が１グラム当たり４ミリ当量（ｍｅｑ／ｇ）以上・・・の範囲である１種または複数種のカチオン性ポリマーも含む。」との記載から、カチオン性ポリマーは染料前駆体に含まれるのではなく、（染料前駆体を含む）染色組成物に含まれると解される。そもそも、染料前駆体とは、その記載からみて、染料に関連する物質であるところ、カチオン性ポリマーが染料に関連する物質でないことは技術常識であるから、上記請求項１４における「前記染料前駆体」は「前記染色組成物」の誤りであると認められる。よって、本件補正後の【請求項１４】の記載は、次のとおりのものと認める。
・「１種または複数種の染料前駆体を含む染色組成物に続く、毛髪への、有機ケイ素化合物を含む組成物の使用であって、
前記有機ケイ素化合物が、式（Ｉ）
　　【化４】
（式中、
Ｒ４は、ハロゲンまたはＯＲ’基もしくはＲ’１基を表し、
Ｒ５は、ハロゲンまたはＯＲ’’基もしくはＲ’２基を表し、
Ｒ６は、ハロゲンまたはＯＲ’’’基もしくはＲ’３基を表し
Ｒ１、Ｒ２、Ｒ３、Ｒ’、Ｒ’’、Ｒ’’’、Ｒ’１、Ｒ’２およびＲ’３は、互いに独立して、追加の化学基を有していてもよい飽和または不飽和の直鎖または分枝炭化水素系基を表し、Ｒ１、Ｒ２、Ｒ’、Ｒ’’およびＲ’’’は、水素をさらに示すことができ、Ｒ４基、Ｒ５基およびＲ６基の少なくとも２個は、ＯＲ’、ＯＲ’’およびＯＲ’’’をそれぞれ示し、Ｒ’基、Ｒ’’基およびＲ’’’基の少なくとも２個は水素以外である）
および
　　【化５】
（式中、
Ｒ１、Ｒ２、Ｒ３、Ｒ５およびＲ６は、上記で定義されており、
Ｒ’４は、ハロゲン原子またはＯＲ１１基を表し、
Ｒ７は、ハロゲン原子またはＯＲ１０基もしくはＲ’’１基を表し、
Ｒ９は、ハロゲン原子またはＯＲ８基、Ｒ’’２基もしくはＲ３ＮＲ１Ｒ２基を表し、
Ｒ’’１、Ｒ’’２、Ｒ８、Ｒ１０およびＲ１１は、追加の化学基を有していてもよい飽和または不飽和の直鎖または分枝炭化水素系基を表し、Ｒ１１基、Ｒ１０基およびＲ８基は、水素原子をさらに表すことができ、Ｒ６基、Ｒ７基およびＲ９基の少なくとも１つは、ハロゲン原子またはＯＲ’’’基、ＯＲ１０基もしくはＯＲ８基を示す）
の化合物から選択され、前記染色組成物が、さらにカチオン電荷密度が４ｍｅｑ／ｇ以上である１個または複数個のカチオン性ポリマーを含む、使用。」
２　本件補正の目的
　本件補正は、請求項１４に係る発明を特定するために必要な事項である「染色組成物」について、補正前は「１種または複数種の染料前駆体を含む」と特定していたものを、「１種または複数種の染料前駆体を含む」に加えて、「さらに、カチオン電荷密度が４ｍｅｑ／ｇ以上である１個または複数個のカチオン性ポリマーを含む」と特定することで、本件補正前の発明の特定事項を限定するものである。そして、本件補正の前後で、請求項１４の記載に係る発明の産業上の利用分野及び解決しようとする課題は変わらない。
　よって、本件補正は、請求項１４についてする補正については、特許法１７条の２第５項２号に掲げる特許請求の範囲の減縮を目的とするものであると認める。
　なお、本件補正は、本願明細書の【００７７】の記載からみて、新規事項を追加するものではないと判断される。
３　独立特許要件違反の有無について
　上記２のとおりであるから、本件補正後の請求項１４に係る発明（以下「本願補正発明」という。）が、特許出願の際、独立して特許を受けることができるものであるか、要するに、本件補正が特許法１７条の２第６項で準用する同法１２６条７項の規定に適合するものであるか（いわゆる独立特許要件違反の有無）について検討するところ、以下のとおり、本件補正は当該要件に違反すると判断される。
　すなわち、本願補正発明は、本願の優先日前に頒布された刊行物である下記引用文献１に記載された発明に基づいて当業者が容易に発明をすることができたものであるから２９条２項の規定により特許を受けることができない（なお、引用文献１は、原査定の理由で引用された「引用文献１」と同じである。）。
・引用文献１：特表２００５−５３５６８３号公報
４　本願補正発明
　本願補正発明は、本件補正により補正された特許請求の範囲の請求項１４に記載された事項により特定されるべきところではあるが、上記１で述べたとおり、その記載には誤りがあるため、本願補正発明の要旨は、以下のとおり認定されるべきである。
「１種または複数種の染料前駆体を含む染色組成物に続く、毛髪への、有機ケイ素化合物を含む組成物の使用であって、
前記有機ケイ素化合物が、式（Ｉ）
　　【化４】
（式中、
Ｒ４は、ハロゲンまたはＯＲ’基もしくはＲ’１基を表し、
Ｒ５は、ハロゲンまたはＯＲ’’基もしくはＲ’２基を表し、
Ｒ６は、ハロゲンまたはＯＲ’’’基もしくはＲ’３基を表し
Ｒ１、Ｒ２、Ｒ３、Ｒ’、Ｒ’’、Ｒ’’’、Ｒ’１、Ｒ’２およびＲ’３は、互いに独立して、追加の化学基を有していてもよい飽和または不飽和の直鎖または分枝炭化水素系基を表し、Ｒ１、Ｒ２、Ｒ’、Ｒ’’およびＲ’’’は、水素をさらに示すことができ、Ｒ４基、Ｒ５基およびＲ６基の少なくとも２個は、ＯＲ’、ＯＲ’’およびＯＲ’’’をそれぞれ示し、Ｒ’基、Ｒ’’基およびＲ’’’基の少なくとも２個は水素以外である）
および
　　【化５】
（式中、
Ｒ１、Ｒ２、Ｒ３、Ｒ５およびＲ６は、上記で定義されており、
Ｒ’４は、ハロゲン原子またはＯＲ１１基を表し、
Ｒ７は、ハロゲン原子またはＯＲ１０基もしくはＲ’’１基を表し、
Ｒ９は、ハロゲン原子またはＯＲ８基、Ｒ’’２基もしくはＲ３ＮＲ１Ｒ２基を表し、
Ｒ’’１、Ｒ’’２、Ｒ８、Ｒ１０およびＲ１１は、追加の化学基を有していてもよい飽和または不飽和の直鎖または分枝炭化水素系基を表し、Ｒ１１基、Ｒ１０基およびＲ８基は、水素原子をさらに表すことができ、Ｒ６基、Ｒ７基およびＲ９基の少なくとも１つは、ハロゲン原子またはＯＲ’’’基、ＯＲ１０基もしくはＯＲ８基を示す）
の化合物から選択され、前記染色組成物が、さらにカチオン電荷密度が４ｍｅｑ／ｇ以上である１個または複数個のカチオン性ポリマーを含む、使用。」（以下、「本願補正発明」という。）
５　本願補正発明が特許を受けることができない理由
（１）引用発明
　ア　引用文献１には、以下のとおり記載されている。（以下、下線は当審によるものである。）
（ア）「【請求項１】
式
（Ｉ）　ＲｍＳｉＸ４−ｍ
［式中、ｍは０〜４の整数であり、Ｒは非加水分解性有機基であり、およびＸは加水分解性基を意味する］のシランの少なくとも１種の、毛髪の状態の改善のための化粧剤における使用。
・・・
【請求項７】
シランが、以下の化合物から選択されることに特徴づけられる、請求項１〜３のいずれか１項に記載の使用：
　・・・ＮＨ２（ＣＨ２）３Ｓｉ（ＯＣＨ２ＣＨ３）３、・・・。
・・・
【請求項２１】
ヒトの毛髪の染色および、同時にその状態の改善のための、以下の事項に特徴づけられる使用：
（ａ）
直接染色性毛髪染色剤または酸化毛髪染色剤と５〜４０分間接触
（ｂ）前記毛髪染色剤を場合により、水で洗浄すること、および毛髪を場合により乾かすこと、
（ｃ）
次いで、先の請求項１〜１８の使用の後、１〜４０分間、シランを含有している薬剤と毛髪を接触
（ｄ）毛髪を場合により、水で洗浄し、次いで乾かすこと。」
（イ）「【００３９】
　・・・。酸化染色に関しては、毛髪を、顕色剤−カップラー剤−の組合せに基づく特定の染色物質担体と特定の酸化剤調製物含有毛髪染色剤との混合によるものを用いて、処理する。
　第１の成分は、染色物質担体と名付けられ、染色物質を含むものである。これは、希釈剤、ジェルまたはエマルジョンとしても存在することができる。第２の成分は、水溶液、溶液、クリーム状または粉末状酸化剤調製物である。
【００４０】
　・・・。染色を実施するにつき、塗布前に、過酸化水素水溶液、エマルジョンまたはクリーム(成分Ｂ)と染料担体(成分Ａ)を、例えば、１：１〜１：２の混合比で混合するが、ここで、染料担体と過酸化水素水との混合は、例えば塗布容器−これを用いて、即時使用可能な酸化毛髪染色剤を、混合後、染色される毛髪に塗布する−中でなすことができる。
【００４１】
　
成分(Ａ)の染料担体
（ウ）「【００５２】
　場合により、成分（Ａ）には、特定の手入れ剤および／または作用剤、例えば、・・・
カチオン性ポリマー
イ　特に、特許請求の範囲の記載（摘示（ア（ア））のうち、請求項１を引用する請求項７を引用する請求項２１の記載から、引用文献１には次のとおりの発明（以下「引用発明」という。）が記載されていると認めることができる。
「ヒトの毛髪の染色および、同時にその状態の改善のための、以下の事項に特徴づけられるシランの使用：
（ａ）直接染色性毛髪染色剤または酸化毛髪染色剤と５〜４０分間接触させ、
（ｂ）前記毛髪染色剤を場合により、水で洗浄すること、および毛髪を場合により乾かすこと、
（ｃ）次いで、ＮＨ２（ＣＨ２）３Ｓｉ（ＯＣＨ２ＣＨ３）３の化合物であるシランの、毛髪の状態の改善のための化粧剤における使用の後、１〜４０分間、シランを含有している薬剤と毛髪を接触させること、
（ｄ）毛髪を場合により、水で洗浄し、次いで乾かすこと。」
（２）対比
　ア　本願補正発明と引用発明を対比する。
（ア）本願補正発明の「有機ケイ素化合物」は、本願明細書の【００２７】の記載を参酌すると、具体的一例として「（３−アミノプロピル）トリエトキシシラン」を含むものと解される。
　一方、引用発明の「ＮＨ２（ＣＨ２）３Ｓｉ（ＯＣＨ２ＣＨ３）３」は、「（３−アミノプロピル）トリエトキシシラン」に他ならないから、引用発明の「ＮＨ２（ＣＨ２）３Ｓｉ（ＯＣＨ２ＣＨ３）３」は、本願補正発明の「有機ケイ素化合物」のうちの式（Ｉ）の化合物に相当する。
（イ）引用発明の「酸化毛髪染色剤」は、本願補正発明の「染料前駆体を含む染色組成物」に相当する。
（ウ）引用発明の「ＮＨ２（ＣＨ２）３Ｓｉ（ＯＣＨ２ＣＨ３）３の化合物であるシランの、毛髪の状態の改善のための化粧剤における使用の後、１〜４０分間、シランを含有している薬剤と毛髪を接触させる」工程は、「ＮＨ２（ＣＨ２）３Ｓｉ（ＯＣＨ２ＣＨ３）３」が、本願補正発明の「有機ケイ素化合物」のうちの式（Ｉ）の化合物に相当すること（上記（ア））、及び「直接染色性毛髪染色剤または酸化毛髪染色剤と５〜４０分間接触させ」る工程の後段に位置していることを踏まえれば、本願補正発明の「１種または複数種の染料前駆体を含む染色組成物に続く、毛髪への、有機ケイ素化合物を含む組成物の使用」に相当する。
イ（ア）したがって、本願補正発明と引用発明とは、次の点で一致し、次の点で相違する。
・一致点
「１種または複数種の染料前駆体を含む染色組成物に続く、毛髪への、有機ケイ素化合物含む組成物の使用であって、
前記有機ケイ素化合物が、式（Ｉ）
の化合物から選択される、使用。」
・相違点
　本願補正発明は、染色組成物が、さらにカチオン電荷密度が４ｍｅｑ／ｇ以上である１個または複数個のカチオン性ポリマーを含むのに対し、引用発明は、そのような特定事項を有しない点。
（３）相違点についての判断
ア　引用文献１には、引用発明の酸化毛髪染色剤について、カチオン性ポリマーを含有させることができる旨の示唆がある（上記摘示ア（イ）（ウ））。
　してみれば、引用文献１の記載に基づいて、引用発明の酸化毛髪染色剤に、カチオン性ポリマーを含有させることは、当業者が容易に想到し得るものであり、その際、毛髪染色剤に含有させるカチオン性ポリマーとして、本願優先日から知られているカチオン電荷密度が４ｍｅｑ／ｇ以上のものを採用することに格別な困難性を見いだすことはできない（要すれば、下記文献Ａ、Ｂを参照のこと。）
○文献Ａ：特開２００３−１０４８５４号公報
「【請求項１】　化粧品的に許容可能な媒体に、本質的にメタクリル酸とアクリル酸Ｃ１-Ｃ４アルキルからなる少なくとも１つの架橋した又は架橋していないコポリマー、
カチオン電荷密度が３．５ｍｅｑ／ｇ以上の少なくとも１つのカチオン性
ポリマー
・・・
【請求項３０】　シャンプー、コンディショナー、毛髪のパーマネントウエーブ処理、ストレート化、
染色
の組成物
○文献Ｂ：特表２００８−５４３９３８号公報
「【００１７】
　本発明による製品放出システムは、毛髪トリートメントに使用することができる。組成物は、例えばリーブオン、又はリンスオフ製品として適用できる、例えば毛髪コンディショナー、又は毛髪リンスなど、毛髪のケア用の剤；例えば、ヘアスプレー噴霧、ヘアラッカー、ヘアジェル、ヘアワックス、スタイリングクリームなど、ヘアスタイルの一時的な再形成及び／又は安定化のための剤（スタイリング剤）；永続的、半永続的、又は一時的染毛剤、例えば、
酸化染毛剤
「【００４０】
　一実施形態では、本発明による剤は、毛髪コンディショニング又は毛髪セッティング添加剤として、少なくとも１つのカチオン性ポリマーを含有する。カチオン性ポリマーは、本発明にしたがって使用されるべき組成物中に、好ましくは０．０１〜２０重量％、又は０．０５〜１０重量％の量で含有され、０．１〜５重量％が特に好ましい。・・・。
【００４１】
　カチオン性ポリマーは、カチオン性基又はアミン基、特に、一級、二級、三級、又は四級アミン基をもつポリマーである。
カチオン電荷密度は、好ましくは１〜７ｍｅｑ／ｇである。
　また、カチオン性ポリマーとして、カチオン電荷密度が４ｍｅｑ／ｇ以上のものを採用したことにより、格別顕著な効果が奏されるものでもない。
（４）まとめ
　以上のとおり、本願補正発明は、引用発明に基づいて当業者が容易に発明をすることができたものであり、特許法２９条２項の規定により特許を受けることができない。
６　むすび
　以上、本願補正発明は特許出願の際、独立して特許を受けることができないから、本件補正は、特許法１７条の２第６項において準用する同法１２６条７項の規定に違反するので、同法１５９条１項において読み替えて準用する同法５３条１項の規定により却下すべきものである。
第３　本願発明について
　
　１　本願発明について
　上記第２のとおり、本件補正は却下されたので、本願の請求項１５に係る発明（以下「本願発明」という。）は、平成２６年１２月２日付けの手続補正書で補正された特許請求の範囲の請求項１５に記載された事項により特定される次のとおりのものである。
　
「１種または複数種の染料前駆体を含む染色組成物に続く、毛髪への、有機ケイ素化合物を含む組成物の使用であって、
前記有機ケイ素化合物が、式（Ｉ）
　　【化４】
（式中、
Ｒ４は、ハロゲンまたはＯＲ’基もしくはＲ’１基を表し、
Ｒ５は、ハロゲンまたはＯＲ’’基もしくはＲ’２基を表し、
Ｒ６は、ハロゲンまたはＯＲ’’’基もしくはＲ’３基を表し
Ｒ１、Ｒ２、Ｒ３、Ｒ’、Ｒ’’、Ｒ’’’、Ｒ’１、Ｒ’２およびＲ’３は、互いに独立して、追加の化学基を有していてもよい飽和または不飽和の直鎖または分枝炭化水素系基を表し、Ｒ１、Ｒ２、Ｒ’、Ｒ’’およびＲ’’’は、水素をさらに示すことができ、Ｒ４基、Ｒ５基およびＲ６基の少なくとも２個は、ＯＲ’、ＯＲ’’およびＯＲ’’’をそれぞれ示し、Ｒ’基、Ｒ’’基およびＲ’’’基の少なくとも２個は水素以外である）
および
　　【化５】
（式中、
Ｒ１、Ｒ２、Ｒ３、Ｒ５およびＲ６は、上記で定義されており、
Ｒ’４は、ハロゲン原子またはＯＲ１１基を表し、
Ｒ７は、ハロゲン原子またはＯＲ１０基もしくはＲ’’１基を表し、
Ｒ９は、ハロゲン原子またはＯＲ８基、Ｒ’’２基もしくはＲ３ＮＲ１Ｒ２基を表し、
Ｒ’’１、Ｒ’’２、Ｒ８、Ｒ１０およびＲ１１は、追加の化学基を有していてもよい飽和または不飽和の直鎖または分枝炭化水素系基を表し、Ｒ１１基、Ｒ１０基およびＲ８基は、水素原子をさらに表すことができ、Ｒ６基、Ｒ７基およびＲ９基の少なくとも１つは、ハロゲン原子またはＯＲ’’’基、ＯＲ１０基もしくはＯＲ８基を示す）
の化合物から選択される、使用。」
２　原査定の理由
　原査定の理由は、要するに、本願発明は、引用文献１に記載された発明であるので特許法２９条１項３号に該当し特許を受けることができないという理由を含むものである。
３　引用発明
　引用発明は、上記第２　５（１）イにおいて認定したとおりである。
４　対比・判断
　本願発明は、本願補正発明との対比において、「染色組成物が、さらにカチオン電荷密度が４ｍｅｑ／ｇ以上である１個または複数個のカチオン性ポリマーを含む」との限定を有しないもの、すなわち引用発明との相違点の構成を有しないものである。
　したがって、引用発明との相違点を有しない本願発明は、引用文献１に記載された発明であるから、特許法２９条１項３号に該当し、特許を受けることができないものである。
第４　むすび
　以上のとり、本願発明は、引用文献１に記載された発明であるので、特許法２９条１項３号に該当し特許を受けることができない。
　そうすると、本願の他の請求項に係る発明について検討するまでもなく、本願は拒絶すべきものである。
　よって、結論のとおり審決する。